(57)【要約】【課題】取付剛性を確保しつつ、意匠性を向上できるドア枠ユニットを提供する。【解決手段】ドア枠ユニット１は、建物Ｂの開口部Ｂ１にドアＤを取り付けるための部材である。ドア枠ユニット１、ドアＤが取り付けられるドア取付部材１０と、開口部Ｂ１の出入り方向についてのドアＤの移動を規制する戸当り部材２０と、を備える。ドア取付部材１０は、開口部Ｂ１に対し固定される固定部１２を有する。戸当り部材２０は、ドア取付部材１０の固定部１２に当接して接合される接合部２１と、ドア取付部材１０よりも開口部Ｂ１の出入り方向において外側に延出した延出部２２と、を有する。  上記のドア枠ユニット１によれば、ドア取付部材１０と戸当り部材２０とを別体に構成することで、ドア取付部材１０を開口部に対して固着具６０により強固に固定しやすくなる。【選択図】図３
2019173493.tif 000002
【特許請求の範囲】
【請求項１】
建物の開口部にドアを取り付けるためのドア枠ユニットであって、
前記ドアが取り付けられるドア取付部材と、
前記開口部の出入り方向についての前記ドアの移動を規制する戸当り部材と、を備え、
前記ドア取付部材は、前記開口部に対し固定される固定部を有し、
前記戸当り部材は、
前記ドア取付部材の前記固定部に当接して接合される接合部と、
前記ドア取付部材よりも前記開口部の出入り方向において外側に延出した延出部と、を有することを特徴とするドア枠ユニット。
【請求項２】
前記接合部は、前記開口部の出入り方向において前記延出部よりも前記ドアに近い位置に設けられ、
前記接合部は、前記開口部の幅方向において前記延出部よりも短いことを特徴とする請求項１に記載のドア枠ユニット。
【請求項３】
前記延出部は、前記ドア取付部材の前記開口部の出入り方向側の端部の少なくとも一部と当接することを特徴とする請求項２に記載のドア枠ユニット。
【請求項４】
前記ドア取付部材は、前記ドアが開閉可能に取り付けられるドア取付部をさらに有し、
前記固定部は、前記開口部の幅方向において前記ドア取付部よりも短いことを特徴とする請求項１乃至３のいずれかに記載のドア枠ユニット。
【請求項５】
前記ドア取付部は、前記ドアの丁番を埋設する丁番埋設部を有することを特徴とする請求項４に記載のドア枠ユニット。
【請求項６】
前記ドア取付部材と前記戸当り部材の間に設けられ、前記ドア取付部材と前記戸当り部材とを連結する連結部材を有し、
前記連結部材は、前記ドア取付部材と前記戸当り部材のそれぞれに形成された溝に差し込まれることを特徴とする請求項１乃至５のいずれかに記載のドア枠ユニット。
【請求項７】
前記開口部の前記出入り方向における前記ドア取付部材の端部が、前記開口部が設けられる壁の下地材と連続し、
前記ドア取付部材と前記下地材に前記壁の面材が取り付けられることを特徴とする請求項１乃至６のいずれかに記載のドア枠ユニット。
【請求項８】
前記ドア取付部材の表面を被覆する第１被覆材と、
前記戸当り部材の表面を被覆する第２被覆材と、をさらに備え、
前記戸当り部材は、前記ドア取付部材と対向する面において、前記開口部の幅方向の外側に位置する角部が切り欠かれた切欠き部を有し、
前記第１被覆材と前記第２被覆材は、前記切欠き部と前記ドア取付部材の角部が当接する位置まで延出していることを特徴とする請求項１乃至７のいずれかに記載のドア枠ユニット。
【発明の詳細な説明】
【技術分野】
【０００１】
本発明は、建物の開口部にドアを設置するためのドア枠ユニットに関する。
【背景技術】
【０００２】
建物の開口部に開き戸を設ける場合には、例えば特許文献１に記載のように、開口部に開き戸を設置するための枠材が設けられる。特許文献１に記載の発明では、開き戸を取り付ける枠材に、開き戸の戸当りを一体化して設けている。
【先行技術文献】
【特許文献】
【０００３】
【特許文献１】特開２０１０−０２４６５４号公報
【発明の概要】
【発明が解決しようとする課題】
【０００４】
上記の従来技術では、枠材に戸当りを一体化して設けているため、枠材を開口部の柱に固定するための固着具（ネジ、釘等）が表面に露出してしまう。
また、上記の従来技術では、開き戸を取り付ける箇所が、戸当りを形成する箇所に対して薄くなってしまうため、十分な剛性が確保しにくい。
【０００５】
本発明は上記の課題に鑑みてなされたものであって、その目的は、取付剛性を確保しつつ、意匠性を向上できるドア枠ユニットを提供することにある。
【課題を解決するための手段】
【０００６】
上記課題は、本発明に係るドア枠ユニットによれば、建物の開口部にドアを取り付けるためのドア枠ユニットであって、前記ドアが取り付けられるドア取付部材と、前記開口部の出入り方向についての前記ドアの移動を規制する戸当り部材と、を備え、前記ドア取付部材は、前記開口部に対し固定される固定部を有し、前記戸当り部材は、前記ドア取付部材の前記固定部に当接して接合される接合部と、前記ドア取付部材よりも前記開口部の出入り方向において外側に延出した延出部と、を有することにより解決される。
上記のドア枠ユニットによれば、ドア取付部材と戸当り部材とを別体に構成することで、ドア取付部材を開口部に対して固着具（ビス等）により強固に固定しやすくなる。
この際、ドア取付部材を開口部に固定するための固定部を、戸当り部材により隠すことができるため、ドア枠ユニットの意匠性を向上できる。
すなわち、上記のドア枠ユニットによれば、取付剛性を確保しつつ、意匠性も向上させることができる。
また、戸当り部材の延出部を用いて、開口部に取り付けられるドア枠ユニットと周囲の部材の位置合わせが可能となる。これにより、ドア枠ユニットの周辺の施工作業性も向上できる。
【０００７】
上記のドア枠ユニットにおいて、前記接合部は、前記開口部の出入り方向において前記延出部よりも前記ドアに近い位置に設けられ、前記接合部は、前記開口部の幅方向において前記延出部よりも短いとよい。
こうすることで、ドア取付部材と戸当り部材が重なる箇所の厚みの増加を抑制できる。これにより、開口部の広さを確保することができる。
【０００８】
上記のドア枠ユニットにおいて、前記延出部は、前記ドア取付部材の前記開口部の出入り方向側の端部の少なくとも一部と当接するとよい。
こうすることで、戸当り部材によりドア取付部材の一部を隠すことができる。
【０００９】
上記のドア枠ユニットにおいて、前記ドア取付部材は、前記ドアが開閉可能に取り付けられるドア取付部をさらに有し、前記固定部は、前記開口部の幅方向において前記ドア取付部よりも短いとよい。
こうすることで、ドア取付部材と戸当り部材が重なる箇所の厚みの増加を抑制できる。これにより、開口部の広さを確保することができる。
【００１０】
上記のドア枠ユニットにおいて、前記ドア取付部は、前記ドアの丁番を埋設する丁番埋設部を有するとよい。
こうすることで、ドアの丁番を隠すことができる。このようにドアの丁番を露出させないようにすることで、ドアの丁番を保護できる。また、ドアの外観をシンプルに構成することで意匠性も向上できる。
【００１１】
上記のドア枠ユニットにおいて、前記ドア取付部材と前記戸当り部材の間に設けられ、前記ドア取付部材と前記戸当り部材とを連結する連結部材を有し、前記連結部材は、前記ドア取付部材と前記戸当り部材のそれぞれに形成された溝に差し込まれるとよい。
こうすることで、ドア取付部材と戸当り部材との取り付け剛性を向上できる。
【００１２】
上記のドア枠ユニットにおいて、前記開口部の前記出入り方向における前記ドア取付部材の端部が、前記開口部が設けられる壁の下地材と連続し、前記ドア取付部材と前記下地材に前記壁の面材が取り付けられるとよい。
こうすることで、面材によりドア取付部材を隠すことができる。これにより、ドア取付部材を保護できる。
また、面材によりドア取付部材が隠されるためドア枠ユニットをすっきりと見せることができ、意匠性も向上できる。
【００１３】
上記のドア枠ユニットにおいて、前記ドア取付部材の表面を被覆する第１被覆材と、前記戸当り部材の表面を被覆する第２被覆材と、をさらに備え、前記戸当り部材は、前記ドア取付部材と対向する面において、前記開口部の幅方向の外側に位置する角部が切り欠かれた切欠き部を有し、前記第１被覆材と前記第２被覆材は、前記切欠き部と前記ドア取付部材の角部が当接する位置まで延出しているとよい。
こうすることで、ドア取付部材の表面を被覆する第１被覆材と、戸当り部材の表面を被覆する第２被覆材のそれぞれの端部の露出を抑制できる。これにより、第１被覆材と第２被覆材との端部を綺麗に処理することができるため、ドア取付部材と戸当り部材との意匠面の連続性を向上させることができる。
【発明の効果】
【００１４】
本発明に係るドア枠ユニットよれば、取付剛性を確保しつつ、意匠性も向上させることができる。
【図面の簡単な説明】
【００１５】
【図１】建物の開口部に設置されたドアの正面図である。
【図２】図１のII-II断面図である。
【図３】ドア枠ユニットの部分拡大図である。
【図４】ドア枠ユニットの丁番埋設部の形成箇所を示す図である。
【図５】ドア枠ユニットを含むドア設置構造の第１変形例を示す図である。
【図６】ドア枠ユニットを含むドア設置構造の第２変形例を示す図である。
【発明を実施するための形態】
【００１６】
以下、図１乃至図６を参照しながら、本発明の実施の形態（以下、本実施形態）に係るドア枠ユニット１について説明する。ドア枠ユニット１は、建物Ｂの開口部Ｂ１にドアＤを設置するための部材である。なお、建物Ｂは例えば戸建住宅、集合住宅、ビル等であり、特に限定されない。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれる。
【００１７】
＜ドアＤの取付構造について＞
図１に示されるように、建物Ｂの開口部Ｂ１には、ドア枠ユニット１が取り付けられる。そして、ドア枠ユニット１に対しては、丁番Ｄ２を介してドアＤが取り付けられる。ドアＤは所謂開き戸であり、ドアＤのハンドルＤ１を操作することにより、ドアＤの開閉が可能となっている。具体的には、ハンドルＤ１に連動してドアＤからドア枠ユニット１に向けて開閉規制部材の突出と収納が切り替わる。そして、開閉規制部材がドア枠ユニット１から外れることでドアＤを開くことができ、開閉規制部材がドア枠ユニット１に係合することでドアＤを閉じた状態に維持できる。
【００１８】
なお、以下において「開口部Ｂ１の幅方向」とは、開口部Ｂ１を正面から見た場合の水平方向に相当する。そして、上記幅方向における左右とは、図１に示す視点から、開口部Ｂ１を見た際の左右にそれぞれ対応する。
また、「開口部Ｂ１の出入り方向」とは、開口部Ｂ１を正面から見た場合の前後方向に相当する。そして、上記出入り方向における前後とは、図１に示す視点から、開口部Ｂ１を見た際の前後にそれぞれ対応する。
そして、「開口部Ｂ１の上下方向」とは、開口部Ｂ１を正面から見た場合の鉛直方向に相当する。そして、上記の上下方向における上下とは、図１に示す視点から、開口部Ｂ１を見た際の上下にそれぞれ対応する。
【００１９】
＜ドア枠ユニット１の構成＞
以下、図２乃至図４を参照しながらドア枠ユニット１の構成について説明する。
図２には、ドア枠ユニット１のハンドルＤ１を通る水平方向の断面図を示した。
図３には、図２のうちドア取付部材１０と戸当り部材２０の部分拡大図を示した。
図４には、ドア取付部材１０とドアＤの取り付けの説明図を示した。
【００２０】
図２に示されるように、ドア枠ユニット１は、ドア取付部材１０と戸当り部材２０を備える。
まず、ドア取付部材１０の構成について説明する。
【００２１】
ドア取付部材１０は、開口部Ｂ１の枠に隣接する柱５１に対して固定されるとともに、ドアＤが開閉可能に取り付けられる。
具体的には、ドア取付部材１０は、ドアＤが取り付けられるドア取付部１１と、柱５１に対して固定される固定部１２を備える。
ドア取付部材１０は、断面が略Ｌ字状をなし、開口部Ｂ１の幅方向において幅が広くなっている箇所がドア取付部１１となり、幅が狭くなっている箇所が固定部１２となる。
すなわち、ドア取付部１１は、開口部Ｂ１の幅方向において固定部１２よりも広くなっている。換言すれば、固定部１２は、開口部Ｂ１の幅方向においてドア取付部１１よりも幅が狭くなっている。
【００２２】
ドア取付部１１は、ドアＤと対向し、ドアＤの丁番Ｄ２が埋設される丁番埋設部１１Ａが形成される。図４に示されるように、丁番埋設部１１Ａは、ドア取付部１１の内面に設けられた凹部であり、丁番埋設部１１Ａに丁番Ｄ２の取付金具が収容されて固定される。なお、上記の内面とは、開口部Ｂ１の幅方向に対してドアＤに近い側の面である。
また、丁番埋設部１１Ａは、ドア取付部１１の内面において上下に並んで複数設けられることとしてよい。
【００２３】
また、ドア取付部１１は、開口部Ｂ１の出入り方向において、下地材５０、及び下地材５０の後端側に取り付けられる面材５２と重なる位置に配される。面材５２は、例えば石こうボードである。
具体的には、ドア取付部１１は、開口部Ｂ１の出入り方向において、下地材５０の出入り方向の中央部から、面材５２よりも後方側まで延出している。
なお、本実施形態では、ドア枠ユニット１に隣接して下地材５０を設けたが、下地材５０を設けずに、ドア枠ユニット１に隣接して柱５１を設けるようにしてもよい。
【００２４】
固定部１２は、ドア取付部１１から、開口部Ｂ１の前に延出する。固定部１２は、開口部Ｂ１の幅方向の外側において下地材５０と当接し、開口部Ｂ１の出入り方向の前端としての端部１２Ｂの位置が、下地材５０の前端の位置と一致している。すなわち、固定部１２の端部１２Ｂは、下地材５０と、開口部Ｂ１の出入り方向の前端において連続している。
なお、開口部Ｂ１の幅方向の内側とは、開口部Ｂ１の幅方向の中央部に近づく方向を意味する。そして、開口部Ｂ１の幅方向の外側とは、開口部Ｂ１の幅方向の中央部から遠ざかる方向を意味する。
【００２５】
また、固定部１２は、開口部Ｂ１の幅方向内側に、戸当り部材２０と当接して接合する当接面１２Ａを有する。そして、固定部１２は、当接面１２Ａから下地材５０及び柱５１を貫通する固着具６０を打込み固定される。これにより、ドア取付部材１０は、開口部Ｂ１の枠を構成する下地材５０及び柱５１に対し強固に固定される。
なお、固着具６０には、ビスを用いることとするが、釘、ボルト、ねじ等を用いることとしてもよい。
【００２６】
また、固定部１２の当接面１２Ａには、上下に溝が形成されており、溝には、連結部材３０が差し込まれて固定されている。
図４に示されるように、連結部材３０は、上下方向に延出した板状部材である。また、連結部材３０の側面には、返し部を形成し、固定部１２から抜けにくくすることとしてもよい。
なお、本実施形態では、連結部材３０を板状部材として構成したが、連結部材３０は板状部材に限られず、ダボ等の柱状部材を１又は複数設けることで構成してもよい。
【００２７】
ドア取付部材１０のドア取付部１１に対しては化粧フィルム等の第１被覆材１３が表面に貼付されている。例えば、第１被覆材１３は、ドア取付部１１のうち、面材５２と重なる箇所から、戸当り部材２０と重なる角部１１Ｂまで貼ることとしてよい。
すなわち、第１被覆材１３は、面材５２と当接する位置から、ドア取付部材１０における角部１１Ｂと、戸当り部材２０における切欠き部２１Ｂとが当接する位置まで延出するように設けられている。
【００２８】
次に、戸当り部材２０の構成について説明する。戸当り部材２０は、開口部Ｂ１の出入り方向についてのドアＤの移動を規制する部材である。すなわち、戸当り部材２０は、ドアＤが戸当り部材２０よりも開口部Ｂ１の出入り方向前方側に移動することを規制するストッパーとして機能する。
【００２９】
戸当り部材２０は、ドア取付部材１０の当接面１２Ａに当接して接合される。戸当り部材２０は、断面が略Ｌ字状をなし、開口部Ｂ１の幅方向において幅が狭くなっている箇所が接合部２１となり、幅が広くなっている箇所が延出部２２となる。
すなわち、接合部２１は、開口部Ｂ１の幅方向において延出部２２よりも幅が狭くなっている。換言すれば、延出部２２は、開口部Ｂ１の幅方向において接合部２１よりも幅が広くなっている。
【００３０】
接合部２１は、ドア取付部材１０の固定部１２に取り付けられる部分である。具体的には、接合部２１において開口部Ｂ１の幅方向外側の当接面２１Ａと、固定部１２の当接面１２Ａとが接着剤からなる接着層４０により接合される。
また、固定部１２の当接面１２Ａと同様に、接合部２１の当接面２１Ａには、上下に溝が形成されている。そして、接合部２１の当接面２１Ａに形成された溝には、連結部材３０のうち開口部Ｂ１の幅方向内側の部分が差し込まれて固定される。
このように、固定部１２と接合部２１とは接着層４０による固定に加えて、連結部材３０によっても固定されている。こうすることで、戸当り部材２０のドア取付部材１０に対する固定を補強し、開口部Ｂ１の出入り方向の位置ずれを抑制することができる。
また、連結部材３０は、ドア取付部材１０及び戸当り部材２０の上下方向に亘って設けられているため、ドア取付部材１０と戸当り部材２０の取り付け剛性もより向上することができる。
【００３１】
また、接合部２１において、角部１１Ｂと対向する位置には角部を切り欠いた切欠き部２１Ｂが形成されている。そして、接合部２１の切欠き部２１Ｂと、ドア取付部１１の角部１１Ｂが係合する位置に配される。
【００３２】
延出部２２は、開口部Ｂ１の出入り方向において、ドア取付部材１０よりも外側に延出する。なお、開口部Ｂ１の出入り方向外側とは、開口部Ｂ１の出入り方向の中央部から遠ざかる向きを意味し、開口部Ｂ１の出入り方向内側とは、開口部Ｂ１の出入り方向の中央部に近づく向きを意味する。
延出部２２は、開口部Ｂ１の幅方向内側においては、接合部２１と同じ位置にあり、開口部Ｂ１の幅方向外側においては、接合部２１よりも外側に位置する。
そして、延出部２２は、固定部１２の端部１２Ｂの少なくとも一部と当接する当接面２２Ａを有している。
なお、延出部２２の開口部Ｂ１の幅方向外側に位置する外面２２Ｂは面材５２と当接することで、面材５２の位置決めを行うことができる。
【００３３】
面材５２は、ビス等の固着具を用いて柱５１に対して固定される。さらに、面材５２とドア取付部材１０に対しても固着具を打込むことで、面材５２が固定される。
【００３４】
また、戸当り部材２０に対しては化粧フィルム等の第２被覆材２３が表面に貼付される。例えば、第２被覆材２３は、戸当り部材２０の切欠き部２１Ｂから外面２２Ｂに亘って貼ることとしてよい。
すなわち、第２被覆材２３は、面材５２と当接する位置から、ドア取付部材１０における角部１１Ｂと、戸当り部材２０における切欠き部２１Ｂとが当接する位置まで延出するように設けられている。
こうすることで、第１被覆材１３と第２被覆材２３とを、角部１１Ｂと切欠き部２１Ｂの当接部分まで貼ることができる。そのため、第１被覆材１３と第２被覆材２３の端部が露出することがないため、ドア取付部材１０と戸当り部材２０の意匠面の連続性を向上させ、ドア枠ユニット１の意匠性を向上できる。
【００３５】
また、戸当り部材２０において、ドアＤと対向する面には、ゴム等の緩衝材２５が設けられている。これにより、ドアＤと戸当り部材２０が当接する際の衝撃を和らげることができる。
【００３６】
なお、ドア枠ユニット１の開口部Ｂ１の幅方向において略左右対称の構成を有している。具体的には、ドア枠ユニット１の開口部Ｂ１の幅方向右側のドア取付部材１０は、丁番埋設部１１Ａに代えて、ハンドルＤ１に連動して動く開閉規制部材を係止する係止部を有している以外は、ドア枠ユニット１の開口部Ｂ１の幅方向左側のドア取付部材１０と同様の構成である。また、ドア枠ユニット１の開口部Ｂ１の幅方向右側の戸当り部材２０は、ドア枠ユニット１の開口部Ｂ１の幅方向左側の戸当り部材２０と同様の構成である。
【００３７】
以上のドア枠ユニット１によれば、開口部Ｂ１の出入り方向の前面においては、ドア取付部材１０がドアＤを囲むように配され、開口部Ｂ１の出入り方向の後面においては、戸当り部材２０がドアＤを囲むように配される。そのため、ドアＤの前面と後面の両方において同様のシンプルな外観を構成することができ、意匠性を向上できる。
特に、ドア取付部１１と延出部２２の開口部Ｂ１の幅方向の長さを略等しくすることで、開口部Ｂ１の前面と後面のそれぞれの外観を略同等に構成することができる。
また、開口部Ｂ１の後面側においては、延出部２２に当接するように面材５２を配することで、後面側においてはドア取付部材１０が露出させないようにすることができる。こうすることで、更に意匠性を向上できる。
【００３８】
また、ドア取付部材１０の角部１１Ｂと、戸当り部材２０の切欠き部２１Ｂとを係合させることで、ドア枠ユニット１とドアＤとの出入り方向の隙間を小さくすることができる。そのため、開口部Ｂ１で仕切られた一方の空間から、他方の空間が見切れてしまうことを抑制できる。
【００３９】
＜変形例＞
上記の実施形態は、建物Ｂの壁に形成される開口部Ｂ１にドア枠ユニット１を取り付けた例を説明したが、これに限定されない。
例えば、図５及び図６に示されるように、ドア枠ユニット１は壁に対して垂直に設けることもできる。
なお、図５には、壁の面材５２と延出部２２との隙間に見切縁５３を配する例を示した。また、図６に示すように、延出部２２を開口部Ｂ１の幅方向に長くして、面材５２と延出部２２とが当接するようにしてもよい。
【００４０】
＜まとめ＞
以上説明した本実施形態に係るドア枠ユニット１の主な特徴は以下の通りである。
【００４１】
［１］ドア枠ユニット１は、建物Ｂの開口部Ｂ１にドアＤを取り付けるための部材である。ドア枠ユニット１、ドアＤが取り付けられるドア取付部材１０と、開口部Ｂ１の出入り方向についてのドアＤの移動を規制する戸当り部材２０と、を備える。ドア取付部材１０は、開口部Ｂ１に対し固定される固定部１２を有する。戸当り部材２０は、ドア取付部材１０の固定部１２に当接して接合される接合部２１と、開口部Ｂ１の出入り方向において、ドア取付部材１０よりも外側に延出した延出部２２と、を有する。
上記のドア枠ユニット１によれば、ドア取付部材１０と戸当り部材２０とを別体に構成することで、ドア取付部材１０を開口部に対して固着具６０により強固に固定しやすくなる。
この際、ドア取付部材１０を開口部Ｂ１に固定するための固定部１２を、戸当り部材２０により隠すことができるため、ドア枠ユニット１の意匠性を向上できる。
すなわち、上記のドア枠ユニット１によれば、取付剛性を確保しつつ、意匠性も向上させることができる。
また、戸当り部材２０の延出部２２を用いて、開口部Ｂ１に取り付けられるドア枠ユニット１と周囲の部材の位置合わせが可能となる。これにより、ドア枠ユニット１の周辺の施工作業性も向上できる。
【００４２】
［２］上記のドア枠ユニット１において、接合部２１は、開口部Ｂ１の出入り方向において延出部２２よりもドアＤに近い位置に設けられ、接合部２１は、開口部Ｂ１の幅方向において延出部２２よりも短い。
こうすることで、ドア取付部材１０と戸当り部材２０が重なる箇所の厚みの増加を抑制できる。これにより、開口部Ｂ１の広さを確保することができる。
【００４３】
［３］上記のドア枠ユニット１において、延出部２２は、ドア取付部材１０の開口部Ｂ１の出入り方向側の端部１２Ｂの少なくとも一部と当接する。
こうすることで、戸当り部材２０によりドア取付部材１０の一部を隠すことができる。
【００４４】
［４］上記のドア枠ユニット１において、ドア取付部材１０は、ドアＤが開閉可能に取り付けられるドア取付部１１をさらに有し、固定部１２は、開口部Ｂ１の幅方向においてドア取付部１１よりも短い。
こうすることで、ドア取付部材１０と戸当り部材２０が重なる箇所の厚みの増加を抑制できる。これにより、開口部Ｂ１の広さを確保することができる。
【００４５】
［５］上記のドア枠ユニット１において、ドア取付部１１は、ドアＤの丁番Ｄ２を埋設する丁番埋設部１１Ａを有する。
こうすることで、ドアＤの丁番Ｄ２を隠すことができる。このようにドアＤの丁番Ｄ２を露出させないようにすることで、ドアＤの丁番Ｄ２を保護できる。また、ドアＤの外観をシンプルに構成することで意匠性も向上できる。
【００４６】
［６］上記のドア枠ユニット１において、ドア取付部材１０と戸当り部材２０の間に設けられ、ドア取付部材１０と戸当り部材２０とを連結する連結部材３０を有し、連結部材３０は、ドア取付部材１０と戸当り部材２０のそれぞれに形成された溝に差し込まれる。
こうすることで、ドア取付部材１０と戸当り部材２０との取り付け剛性を向上できる。
【００４７】
［７］上記のドア枠ユニット１において、開口部Ｂ１の出入り方向におけるドア取付部材１０の端部１２Ｂが、開口部Ｂ１が設けられる壁の下地材５０と連続し、ドア取付部材１０と下地材５０に壁の面材５２が取り付けられる。
こうすることで、面材５２によりドア取付部材１０を隠すことができる。これにより、ドア取付部材１０を保護できる。
また、面材５２によりドア取付部材１０が隠されるためドア枠ユニット１をすっきりと見せることができ、意匠性も向上できる。
【００４８】
［８］上記のドア枠ユニット１において、ドア取付部材１０の表面を被覆する第１被覆材１３と、戸当り部材２０の表面を被覆する第２被覆材２３と、をさらに備える。戸当り部材２０は、ドア取付部材１０と対向する面において、開口部Ｂ１の幅方向の外側に位置する角部が切り欠かれた切欠き部２１Ｂを有する。第１被覆材１３と第２被覆材２３は、切欠き部２１Ｂとドア取付部材１０の角部が当接する位置まで延出している。
こうすることで、ドア取付部材１０の表面を被覆する第１被覆材１３と、戸当り部材２０の表面を被覆する第２被覆材２３のそれぞれの端部の露出を抑制できる。これにより、第１被覆材１３と第２被覆材２３との端部を綺麗に処理することができるため、ドア取付部材１０と戸当り部材２０との意匠面の連続性を向上させることができる。
【００４９】
また、上記のドア枠ユニット１において、連結部材３０は、板状に構成され、上下方向に延出する。
こうすることで、ドア取付部材１０と戸当り部材２０との取り付け剛性をさらに向上できる。
【００５０】
また、上記のドア枠ユニット１において、ドア取付部材１０の固定部１２と、戸当り部材２０の接合部２１は接着剤により接合される。
こうすることで、ドア取付部材１０と戸当り部材２０との取り付け剛性をより一層向上できる。
【００５１】
＜その他の実施形態＞
本発明は上記の実施形態に限定されるものではない。
例えば、壁に厚みを設ける場合には、固定部１２と接合部２１の開口部Ｂ１の出入り方向の長さを長くして、複数の連結部材３０を設けるようにしてもよい。
また、上記の実施形態では、ドア取付部１１に丁番埋設部１１Ａを設けて丁番Ｄ２を隠す形態としたが、これに限られず、丁番Ｄ２は露出する形態としてもよい。
【符号の説明】
【００５２】
Ｂ  建物
Ｂ１  開口部
Ｄ  ドア
Ｄ１  ハンドル
Ｄ２  丁番
１  ドア枠ユニット
１０  ドア取付部材
１１  ドア取付部
１１Ａ  丁番埋設部
１１Ｂ  角部
１２  固定部
１２Ａ  当接面（内面）
１２Ｂ  端部
１３  第１被覆材
２０  戸当り部材
２１  接合部
２１Ａ  当接面
２１Ｂ  切欠き部
２２  延出部
２２Ａ  当接面
２２Ｂ  外面
２３  第２被覆材
２５  緩衝材
３０  連結部材
４０  接着層
５０  下地材
５１  柱
５２  面材（石膏ボード）
５３  見切縁
６０  固着具
【図１】
2019173493.tif 000003
【図２】
2019173493.tif 000004
【図３】
2019173493.tif 000005
【図４】
2019173493.tif 000006
【図５】
2019173493.tif 000007
【図６】
2019173493.tif 000008